(57)【要約】      （修正有）【課題】簡易な構造であって、反復利用性のあるＣＤケースを提供する。【解決手段】本考案のＣＤケース１は、略正方形状の中央の板紙１１上にＣＤ２を載置し、該中央の板紙１１に隣接した一方側板紙をＣＤ面全体を覆うカバーシート１２とし、カバーシート１２と他方側板紙を嵌め合わせする形態のＣＤケースにであって、カバーシート１２は端縁に突出した長さａ、幅ｂの差し込み片Ａと前記端縁に平行である長さｄのスリットＢを有する構成とし、他方側板紙は端縁に平行な折り線Ｃを中抜き直線状に形成し、該折り線Ｃを軸として回転する軸部の長さｄである扉形状１３３を打ち抜きし、前記差し込み片Ａを他方側板紙の裏面側から扉形状の打ち抜き跡部Ｅに差し込みし、扉形状の先端を前記カバーシート１２の前記スリットＢに折り線Ｃ部分まで差し込みする構造としたことを特徴とする。【選択図】図１
0003151534.tif 000002
【実用新案登録請求の範囲】
【請求項１】
略正方形の中央の板紙上にＣＤを載置し、該中央の板紙の上下両辺のフラップをＣＤ面に折り畳みするようにし、中央の板紙の左右に隣接した一方側板紙をＣＤ面全体を覆うカバーシートとし、他方側板紙をカバーシートに被せて、該カバーシートと嵌め合わせする形態のＣＤケースにおいて、該カバーシートである一方側板紙は端縁に突出した長さａ、幅ｂの差し込み片Ａと該差し込み片Ａの基部から距離ｃ離隔した位置に、前記端縁に平行である長さｄのスリットＢを有する構成とし、他方側板紙は端縁から距離ｆ離隔した位置に、端縁に平行な折り線Ｃを中央部分を除く中抜き直線状に形成し、該折り線Ｃを軸として開閉する軸部の長さｄである扉形状を、前記折り線Ｃの形成されない中抜き部の上端と下端を始点として打ち抜きし、さらに扉形状の先端を等幅に切断除去した構成とし、前記差し込み片Ａを前記他方側板紙の裏面側から前記扉形状の打ち抜き跡部Ｅに差し込みし、扉形状の先端Ｄを前記カバーシートである一方側板紙の前記スリットＢに表面側から折り線Ｃ部分まで差し込みして嵌め合わせする構造としたことを特徴とするＣＤ用ケース。
【請求項２】
板紙に替えて、折り曲げ性のあるプラスチック板、合成紙、不織布を用いることを特徴とする請求項１記載のＣＤ用ケース。
【考案の詳細な説明】
【技術分野】
【０００１】
本考案は、一枚のコンパクトディスク（ＣＤあるいはＤＶＤ）を個々に包装するＣＤ用ケースに関する。一枚の長方形の板紙等を打ち抜いて折り畳みするだけで製造でき、かつ反復利用性を特徴とするＣＤ用ケースに関するものである。
【背景技術】
【０００２】
ＣＤ用ケースに関しては、従来から各種の形態が検討されている。剛構造のものとしてはプラスチック材料を成形し、ＣＤの中心穴と係合する固定部を設け、ヒンジにより開閉する蓋を有する容器内に保護する形態が従来から知られている。
一方、紙製のものも各種があり、簡単なものは紙製の袋内に単に挿入する形態にされている。この形態は、書籍等の裏表紙にＣＤを添付する形態として多用されている。
【０００３】
特許文献１は、板紙を薄い箱状に加工し、内部にＣＤを納めて郵送等を行い、利用者は箱体表面の円形破線状の切り込みを切り開いて、ＣＤを取り出す形態の容器である。このものは容器をある程度薄形にはできるが、製造工程が複雑になると考えられる。
特許文献２は、定形郵便の料金の範囲で郵送できるようにした薄型容器に関するが、紙材料と不織布またはプラスチックフィルムを併用するので、材料費が高くなると共に、製造工程も複雑になると考えられる。
特許文献３は、マイクロフルート段ボールを折り曲げして、ＣＤを納める底部材板紙と周縁部材、上蓋部を形成したもので、板紙を折り曲げて形成することは本願と共通するが、上蓋部は単に開閉できる構造とされているだげで、上蓋部を固定する構造がないので、ＣＤが脱落するおそれがあると考えられる。
【０００４】
特許文献４は、雑誌に貼付するＣＤケースであって、単なる袋状の形態のものである。  特許文献５は、紙製ＣＤケースに関し、屈曲したＲスリットを設け、当該Ｒスリット部をＣＤを納めるポケットとするものである。紙を折り畳んで使用する点で本願と共通するが、特許文献３と同様に、上蓋部を固定する構造については記載していない。
【先行技術文献】
【特許文献】
【０００５】
【特許文献１】実用新案登録第３０７２８２８号公報
【特許文献２】特開平９−  ５８７９９号公報
【特許文献３】実用新案登録第３０２７８１８号公報
【特許文献４】実用新案登録第３１３９０４３号公報
【特許文献５】特開２００２−  ６８３５４号公報
【考案の開示】
【考案が解決しようとする課題】
【０００６】
本考案は、プラスチック成形物のような剛構造のケースと異なり、板紙材料のみからなるＣＤケースを簡易に製造することを課題とす。ただし、従来の紙製ＣＤケースと異なり、カバーシートを他方側紙端部と嵌め合わせ結合できる構造として、簡単には開かないようにすることを課題としたものである。
【課題を解決するための手段】
【０００７】
上記の目的を達成する本考案に係るＣＤケースは、略正方形の中央の板紙上にＣＤを載置し、該中央の板紙の上下両辺のフラップをＣＤ面に折り畳みするようにし、中央の板紙の左右に隣接した一方側板紙をＣＤ面全体を覆うカバーシートとし、他方側板紙をカバーシートに被せて、該カバーシートと嵌め合わせする形態のＣＤケースにおいて、該カバーシートである一方側板紙は端縁に突出した長さａ、幅ｂの差し込み片Ａと該差し込み片Ａの基部から距離ｃ離隔した位置に、前記端縁に平行である長さｄのスリットＢを有する構成とし、他方側板紙は端縁から距離ｆ離隔した位置に、端縁に平行な折り線Ｃを中央部分を除く中抜き直線状に形成し、該折り線Ｃを軸として開閉する軸部の長さｄである扉形状を、前記折り線Ｃの形成されない中抜き部の上端と下端を始点として打ち抜きし、さらに扉形状の先端を等幅に切断除去した構成とし、前記差し込み片Ａを前記他方側板紙の裏面側から前記扉形状の打ち抜き跡部Ｅに差し込みし、扉形状の先端Ｄを前記カバーシートである一方側板紙の前記スリットＢに表面側から折り線Ｃ部分まで差し込みして嵌め合わせする構造としたことを特徴とするＣＤ用ケース、にある。
【０００８】
上記において、板紙に替えて、折り曲げ性のあるプラスチック板、合成紙、不織布を用いる、ようにすることもできる。
【考案の効果】
【０００９】
本考案に係る請求項１のＣＤケースは、板紙材料のみからなり、打ち抜きと押し罫線を形成するだけで、特殊な加工工程が必要ではなく、安価に製作できる利点がある。
また、従来の紙製ＣＤケースと異なり、カバーシートを他方側用紙と嵌め合わせ結合できる構造としてあるので、搬送中等におけるＣＤの脱落を防止できる。カバーシートと他方側用紙との閉じ合わせは、簡単な構造からなるが、比較的に強い嵌め合わせ強度が得られる。
【図面の簡単な説明】
【００１０】
【図１】本考案に係るＣＤケースを示す斜視図である。
【図２】ＣＤケースのカバーシートを閉じる状態を示す図である。
【図３】ＣＤケースのカバーシートを閉じた状態を示す図である。
【図４】ＣＤケースのブランク展開図である。
【考案を実施するための最良の形態】
【００１１】
図１は、本考案に係るＣＤケースを示す斜視図である。ＣＤケース１は、長方形状の板紙を長さ方向に直交するように、３つの平面部分に折り畳みした形状になっている。
中央の板紙１１はＣＤ２を載置するため、ＣＤ２の直径に相当する幅と長さを有しているから略正方形状である。板紙１１の上下両辺のフラップ１１１，１１２はＣＤ２面に折り畳みし、かつ開閉可能なようになっている。フラップ１１１，１１２の幅等は任意に設計できる。図１において、フラップ１１１，１１２の右側部分は、ＣＤ２を取り出し易くするため広く開口するようにされている。
中央の板紙１１の左右に隣接した一方側板紙（図１において左側の板紙）は、折り線１４によりＣＤ２面に折り畳みしそのほぼ全面を覆うカバーシート１２となっている。
中央の板紙１１に隣接した他方側板紙（図１において右側の板紙）１３は、折り線１５によりカバーシート１２面の端部に被せて、同シート１２と嵌め合わせして結合する構造になっている。カバーシート１２面のほぼ中央で嵌め合わせすることも可能である。
【００１２】
カバーシート１２である一方側板紙と他方側板紙１３は相互に嵌め合わせできる構造になっている。すなわち、該カバーシート１２である一方側板紙は端縁１２ｅに突出した長さａ、幅ｂの差し込み片Ａ（符号１２１）を有し、該差し込み片Ａの基部から距離ｃ離隔した位置に、前記端縁１２ｅに平行である長さｄのスリットＢ（符号１２２）を有する構造になっている。スリットＢの溝幅は板紙を通過させる幅が有れば十分である。
差し込み片Ａ（符号１２１）は、扉形状１３３の打ち抜き跡部Ｅ（符号１３５）に差し込まれるので、長さａは抜き跡部Ｅの長さに一致させることになる。幅ｂは、１０ｍｍから１５ｍｍ程度とする。距離ｃを小さくして端縁１２ｅに接近させ過ぎると扉形状１３３の先端を差し込み難くなる。距離ｃは、１２ｍｍから１８ｍｍ程度が適切となる。
【００１３】
また、他方側板紙１３は端縁１３ｅから距離ｆ離隔した位置に、端縁１３ｅに平行な折り線Ｃ（符号１３１）を中央部分を除く中抜き直線状に形成し、該折り線Ｃを軸として回転する軸部の長さｄである扉形状１３３を、前記折り線Ｃ（符号１３１）の形成されない中抜き部の上端１３１ｕと下端１３１ｄを始点として打ち抜きし、その先端を端縁１３ｅに平行に数ｍｍ切断除去した構造になっている。
そして、前記差し込み片Ａ（符号１２１）を他方側板紙１３の裏面側から扉形状１３３の打ち抜き跡部Ｅ（符号１３５）に差し込みし、扉形状１３３の先端を前記カバーシート１２である一方側板紙の前記スリットＢ（符号１２２）に表面側から折り線Ｃ（符号１３１）部分まで差し込みして嵌め合わせする構造になっている。
扉形状１３３は打ち抜いた後にその先端を、２〜１０ｍｍの等幅に切断除去するのが、嵌め込みを円滑に行うためには好ましい。
【００１４】
扉形状１３３は、折り線Ｃ（符号１３１）を軸として開閉するが、扉形状１３３のみが開閉するのではなく、中抜き部（上端１３１ｕと下端１３１ｄの間）には折り線Ｃが形成されていないので、端縁１３ｅ側と一体に開閉することになる。
上記のように、扉形状１３３の軸部の長さとスリットＢ（符号１２２）の長さを同一の長さｄとすることが、嵌め合わせを正しく行なう上で好ましい。
【００１５】
次に、ＣＤケース１の使い方について説明する。図２は、ＣＤケースのカバーシートを閉じる状態を示す図である。
ＣＤ２を納めた後、フラップ１１１，１１２とカバーシート１２をＣＤ２面に被せる。他方側板紙１３の扉形状１３３の先端をカバーシート１２のスリットＢ（符号１２２）に接近させる。このとき、カバーシート１２の差し込み片（符号１２１）も他方側板紙１３の扉形状１３３の先端の打ち抜後部Ｅ（符号１３５）に接近している。
なお、図２では、扉形状１３３の先端部を等幅で切断除去（カット）しているので、扉形状１３３の幅ｅは打ち抜き跡部Ｅ（符号１３５）よりは狭幅になっている。幅ｅは、５ｍｍから１５ｍｍ程度とする。幅ｅが小さいと嵌め込みした後に抜け易く、大き過ぎると嵌め込みが難しくなる問題がある。扉形状１３３の先端部のカットは打ち抜きと同時に行なうこともできる。
【００１６】
図３は、ＣＤケースのカバーシートを閉じた状態を示す図である。
扉形状１３３の先端をカバーシート１２のスリットＢ（符号１２２）に差し込みし、差し込み片（符号１２１）を打ち抜後部Ｅ（符号１３５）に差し込んで、嵌め合わせ部を圧迫すれば、図３のように嵌め込みが完了する。
【００１７】
図４は、ＣＤケースのブランク展開図である。図中の符号は、図１〜図３に対応するものである。また、図４中、破線部分は、押し罫部分である。
中央の板紙１１は、ＣＤ２を載置できる大きさを確保する。扉形状１３３部分の先端は、前記のように等幅に切断除去（カット）されるので、斜線部の空間が生じる。この空間部の中央の板紙１１側寄りに差し込み片Ａ（符号１２１）が差し込まれることになる。
一方、スリットＢ（符号１２２）には、扉形状１３３の先端から差し込まれて、折り線Ｃ（符号１３１）部分で停止する。折り線Ｃ（符号１３１）と板紙１３の端縁１３ｅまでの距離ｆは、１０ｍｍ〜２５ｍｍ程度とする。あまり大きくすると端縁１３ｅがＣＤケース表面に大きく立ち上がることになる。
紙板材料としては、２００ｇ／ｍ2 〜４００ｇ／ｍ2 程度のものを使用できる。
【実施例】
【００１８】
板紙材料としては、２５０ｇ／ｍ2 の板紙を使用して、図４に図示するブランクを打ち抜いた。
中央の板紙１１を１３０ｍｍ角とし、直径１２ｃｍのＣＤ２を納められるようにし、カバーシート２の差し込み片Ａ（符号１２１）の先端までの全長は１２８．１５ｍｍとなるようにした。
スリットＢ（符号１２２）の長さｄを４２．９ｍｍとし、溝幅を１．１４ｍｍとした。また、扉形状の長さｄを４２．９ｍｍ、幅ｅを１０．０１ｍｍとした。差し込み片Ａの長さａを３５．７５ｍｍ、幅ｂを１１．７３ｍｍとし、距離ｃを１４．３ｍｍとした。
扉形状１３３の打ち抜き跡部Ｅ（符号１３５）の長さも３５．７５ｍｍとした。
折り線１３１と板紙１３の端縁１３ｅまでの距離ｆを２１．４５ｍｍとした。
このブランクを組み立てて、ＣＤ２を納め、カバーシート１２と板紙１３側とを図２のようにして嵌め合わせしたところ、図３に図示する形態となった。
このＣＤケースは軽量であり、簡単にはカバーシートが開くことはなく、ＣＤケースとして好適に使用できることが確認できた。
【産業上の利用可能性】
【００１９】
実施例等において、板紙を使用した例について説明したが、本考案は板紙に限定されず、折り曲げ性のあるプラスチック板、合成紙、不織布を用いることができるのは明らかであり、本考案の適用外とするものではない。
【符号の説明】
【００２０】
１    ＣＤケース
２    ＣＤ
１１    中央の板紙                                                              １２    カバーシート
１２ｅ  端縁
１３    他方側板紙
１３ｅ  端縁
１４，１５    折り線
１１１，１１２    フラップ
１２１    差し込み片Ａ
１２２    スリットＢ
１３３    扉形状
１３５    打ち抜後部Ｅ
【図１】
0003151534.tif 000003
【図２】
0003151534.tif 000004
【図３】
0003151534.tif 000005
【図４】
0003151534.tif 000006